(57)【要約】【課題】  スピーカー振動板とボイスコイルとの接着強度が高く、伝達ロスを低減させ、かつ、Ｓ／Ｎ比を改善でき、音圧周波数特性上のピーク・ディップが少なく、再生音質に優れたスピーカー振動板およびスピーカーを提供する。【解決手段】  スピーカー振動板は、第１振動板部分と、第１振動板部分と一体成形された第２振動板部分と、第１振動板部分と第２振動板部分との結合部の背面側に突出して設けられてボイスコイルボビンの一端が取り付けられる取付部と、第１振動板部分の背面側に突出して設けられるリブ部と、を備え、第１振動板部分および第２振動板部分が、基材に熱硬化性樹脂が含浸されて成形され、取付部が、熱硬化性樹脂が硬化されて成形され、リブ部が、それらの突出部に基材を含んで熱硬化性樹脂が硬化されて成形されている。【選択図】  図１
2008113275.tif 000002
【特許請求の範囲】
【請求項１】
第１振動板部分と、該第１振動板部分と一体成形された第２振動板部分と、該第１振動板部分と該第２振動板部分との結合部の背面側に突出して設けられてボイスコイルボビンの一端が取り付けられる取付部と、該第１振動板部分の背面側に突出して設けられるリブ部と、を備え、
該第１振動板部分および該第２振動板部分が、基材に熱硬化性樹脂が含浸されて成形され、該取付部が、該熱硬化性樹脂が硬化されて成形され、該リブ部が、それらの突出部に該基材を含んで該熱硬化性樹脂が硬化されて成形されている、スピーカー振動板。
【請求項２】
前記リブ部の前記突出部の最大高ｈが、前記第１振動板部分の該リブ部を除く部分での振動板厚ｔ以下であり、該リブ部の該突出部の最小幅ｗが該振動板厚ｔ以上である、請求項１に記載のスピーカー振動板。
【請求項３】
前記リブ部が、前記第１振動板部分の中央側から外側へ放射状に形成される放射状リブ部であり、前記取付部および該放射状リブ部が連結されて一体に成形されている、請求項１または２に記載のスピーカー振動板。
【請求項４】
長軸および短軸を有する外形が、略楕円形、トラック形もしくは長方形の前記スピーカー振動板であり、前記放射状リブ部の中心軸と該長軸とが交わる角度が、４５度より小さい、請求項３に記載のスピーカー振動板。
【請求項５】
前記熱硬化性樹脂が不飽和ポリエステル樹脂である、請求項１から４のいずれかに記載のスピーカー振動板。
【請求項６】
請求項１から５のいずれかに記載の前記スピーカー振動板を備える、スピーカー。
【発明の詳細な説明】
【技術分野】
【０００１】
本発明は、ボイスコイルボビンとの接合強度が高いスピーカー振動板およびこれを用いたスピーカーに関し、特に、長軸および短軸を有する外形が略楕円形、トラック形もしくは長方形のスピーカー振動板、ならびに、このスピーカー振動板を備えるスピーカーに関する。
【背景技術】
【０００２】
スピーカーにおいて、ボイスコイルボビンとスピーカー振動板との接着強度は、再生する音声の特性に影響を与える。従来には、本願発明の出願人によるボイスコイルボビンとスピーカー振動板との接着強度を向上させるスピーカー振動板がある（特許文献１）。特許文献１の図２に示すように、このスピーカー振動板１は、第１振動板部分５と、第１振動板部分５と一体成形された第２振動板部分６と、第１振動板部分５と第２振動板部分６との結合部の背面側に突出して設けられボイスコイルボビンの一端が取り付けられる取付部７とを備え、第１振動板部分５および第２振動板部分６が、基材に熱硬化性樹脂が含浸されてなり、取付部７が、熱硬化性樹脂が硬化されて成形されている。このスピーカー振動板は、ボイスコイルボビンからの駆動力の伝達ロスを低減させ、これを用いたスピーカーは、Ｓ／Ｎ比を改善することができる。
【０００３】
映像ならびに音声を再生するディスプレイ装置等に用いられるスピーカーでは、主に映像を投影する画面部を大きく確保するために、スピーカーの振動板の外形や、その構造に制約がある場合がある。具体的には、ディスプレイ装置の画面部分の周囲には、スピーカーを取り付けるバッフル部分が幅広く確保できないので、長軸および短軸を有する外形が略楕円形、トラック形もしくは長方形のスピーカー振動板（以下、細長形状振動板という）を用いた正面から見た場合に細長い形状のスピーカーが使用されることが多い。多用される円形コーン型振動板のスピーカーに比較して、細長形状振動板のスピーカーでは、細長形状振動板の強度不足（特に、細長い長手方向の強度不足）のために共振が発生しやすく、その結果、音圧周波数特性にピーク・ディップが出現して、再生音質の低下を招くという問題がある。
【０００４】
スピーカー振動板の振動板部分に強度を持たせて特性改善を図るため、振動板にリブを設けるものがある。従来には、合成樹脂の射出成型による振動板本体に、放射方向の補強リブを複数本射出成型時に一体に形成するスピーカー振動板がある（特許文献２）。また、従来には、長手方向の異常振動を抑制するように、トラック型振動板を音が放射する方向に凹凸状に連続的に湾曲させるものがある（特許文献３）。
【０００５】
【特許文献１】特許第３８４６４９７号公報  （第１図〜第４図）
【特許文献２】実開平３−４６２９６号公報  （第１図）
【特許文献３】特開２００２−３２５２９４号公報  （第１図）
【０００６】
しかしながら、接合強度を高めた特許文献１のスピーカー振動板であっても、振動板形状が細長形状振動板の場合には、強度不足（特に、細長い長手方向の強度不足）のために共振が発生しやすく、その結果、音圧周波数特性にピーク・ディップが出現して、再生音質の低下を招くことがあるという問題がある。
【発明の開示】
【発明が解決しようとする課題】
【０００７】
本発明は、上記の従来技術が有する問題を解決するためになされたものであり、その目的は、スピーカー振動板とボイスコイルとの接着強度が高く、伝達ロスを低減させ、かつ、Ｓ／Ｎ比を改善でき、音圧周波数特性上のピーク・ディップが少なく、再生音質に優れたスピーカー振動板およびスピーカーを提供することにある。
【課題を解決するための手段】
【０００８】
本発明のスピーカー振動板は、第１振動板部分と、第１振動板部分と一体成形された第２振動板部分と、第１振動板部分と第２振動板部分との結合部の背面側に突出して設けられてボイスコイルボビンの一端が取り付けられる取付部と、第１振動板部分の背面側に突出して設けられるリブ部と、を備え、第１振動板部分および第２振動板部分が、基材に熱硬化性樹脂が含浸されて成形され、取付部が、熱硬化性樹脂が硬化されて成形され、リブ部が、それらの突出部に基材を含んで熱硬化性樹脂が硬化されて成形されている。
【０００９】
好ましくは、本発明のスピーカー振動板は、リブ部の突出部の最大高ｈが、第１振動板部分のリブ部を除く部分での振動板厚ｔ以下であり、リブ部の突出部の最小幅ｗが振動板厚ｔ以上である。
【００１０】
好ましくは、本発明のスピーカー振動板は、リブ部が、第１振動板部分の中央側から外側へ放射状に形成される放射状リブ部であり、取付部および放射状リブ部が連結されて一体に成形されている。
【００１１】
また、好ましくは、本発明のスピーカー振動板は、長軸および短軸を有する外形が、略楕円形、トラック形もしくは長方形のスピーカー振動板であり、放射状リブ部の中心軸と長軸とが交わる角度が、４５度より小さい。
【００１２】
さらに好ましくは、本発明のスピーカー振動板は、熱硬化性樹脂が不飽和ポリエステル樹脂である。
【００１３】
また、本発明のスピーカーは、上記のいずれかの本発明のスピーカー振動板を備える。
【００１４】
以下、本発明の作用について説明する。
【００１５】
本発明のスピーカー振動板は、第１振動板部分と、第１振動板部分と一体成形された第２振動板部分と、第１振動板部分と第２振動板部分との結合部の背面側に突出して設けられてボイスコイルボビンの一端が取り付けられる取付部と、第１振動板部分の背面側に突出して設けられるリブ部と、を備える。第１振動板部分および第２振動板部分は、基材に熱硬化性樹脂が含浸されて成形され、取付部は、熱硬化性樹脂が硬化されて成形されているので、スピーカー振動板とボイスコイルとの接着強度が高く、伝達ロスを低減させ、かつ、Ｓ／Ｎ比を改善できるスピーカーが実現される。
【００１６】
加えて、本発明のスピーカー振動板では、第１振動板部分にリブ部が設けられることにより、音圧周波数特性上のピーク・ディップを少なくすることができる。リブ部が、第１振動板部分の中央側から外側へ放射状に形成される放射状リブ部であり、取付部および放射状リブ部が連結されて一体に成形されていれば、振動板形状が細長形状振動板の場合（長軸および短軸を有する外形が、略楕円形、トラック形もしくは長方形のスピーカー振動板の場合）であっても、音圧周波数特性上のピーク・ディップを少なくすることができる。放射状リブ部は、放射状リブ部の中心軸と該長軸とが交わる角度が、４５度より小さくなるように配置されると、第１振動板部分の分割共振が発生しやすい部分の剛性を高めるので、より効果的にピーク・ディップが減少する。
【００１７】
ここで、リブ部は、それらの突出部に基材を含んで熱硬化性樹脂が硬化されて成形されている。リブ部の突出部とは、スピーカー振動板のリブのないところの表面に比較して突出した部分を指し、突出部の分だけ振動板厚が厚くなっている部分である。つまり、本発明のスピーカー振動板のリブ部は、基材がリブ部の突出した部分の内部にも入り込んだ状態で熱硬化性樹脂が硬化しているので、他の第１振動板部分の構成により近い材質構成で形成されている。その結果、第１振動板部分に単なる樹脂のみで形成したリブ部を形成する場合に比べて、リブ部における音響インピーダンスの整合がとれ、ヤング率または内部損失の値も近くなるため、振動の反射が少なく、音圧周波数特性上のピーク・ディップをより少なくすることができる。
【００１８】
なお、リブ部は、その突出部の最大高ｈの半分以上に基材を含んでおり、基材に含浸された熱硬化性樹脂が硬化されて成形されていればよい。スピーカー振動板を構成する基材には剛性が求められるので、リブ部の突出部に伸々と入り込むような材料は、剛性が不足する場合があるので採用し難い。したがって、リブ部の突出部の内部に、ある程度の基材が入り込んだ状態で熱硬化性樹脂が硬化するように、リブ部の突出部の最大高ｈは、第１振動板部分のリブ部を除く部分での振動板厚ｔ以下であればよく、また、リブ部の突出部の最小幅ｗは、振動板厚ｔ以上であればよい。
【００１９】
また、本発明のスピーカー振動板では、熱硬化性樹脂が、不飽和ポリエステル樹脂である。従って、硬化速度が速く、硬化温度が低いので製造が容易であり、かつ、優れた内部損失を有する第１振動板部分、第２振動板部分、取付部およびリブ部を備えたスピーカー振動板が得られる。
【発明の効果】
【００２０】
本発明のスピーカー振動板は、スピーカー振動板とボイスコイルとの接着強度が高く、伝達ロスを低減させ、かつ、Ｓ／Ｎ比を改善でき、音圧周波数特性上のピーク・ディップが少なく、再生音質に優れたスピーカーを実現できる。
【発明を実施するための最良の形態】
【００２１】
本発明のスピーカー振動板およびこれを用いたスピーカーは、スピーカー振動板とボイスコイルとの接着強度が高く、伝達ロスを低減させ、かつ、Ｓ／Ｎ比を改善でき、音圧周波数特性上のピーク・ディップが少なく、再生音質に優れたおよびスピーカーを実現するという目的を、スピーカー振動板が、第１振動板部分と、第１振動板部分と一体成形された第２振動板部分と、第１振動板部分と第２振動板部分との結合部の背面側に突出して設けられてボイスコイルボビンの一端が取り付けられる取付部と、第１振動板部分の背面側に突出して設けられるリブ部と、を備え、第１振動板部分および第２振動板部分が、基材に熱硬化性樹脂が含浸されて成形され、取付部が、熱硬化性樹脂が硬化されて成形され、リブ部が、それらの突出部に基材を含んで熱硬化性樹脂が硬化されて成形されるようにすることにより、実現した。
【００２２】
以下、本発明の好ましい実施形態によるスピーカー振動板およびこれを用いたスピーカーについて説明するが、本発明はこれらの実施形態には限定されない。
【実施例１】
【００２３】
図１は、本発明の好ましい実施形態によるスピーカー１００の概略断面図である。図２は、スピーカー１００を構成するスピーカー振動板１について説明する図である。図３は、スピーカー振動板１の要部拡大図である。スピーカー１００は、スピーカー振動板１と、スピーカー振動板１に接着されるボイスコイルボビン２と、ボイスコイルボビン２の下端部に巻回されたボイスコイル３とを有する。ボイスコイル３は、磁気回路４の磁気ギャップに配され、入力信号に応じて磁気ギャップ内を変位することによりスピーカー振動板１を駆動する。
【００２４】
スピーカー振動板１は、第１振動板部分５と、第１振動板部分５と一体成形された第２振動板部分６とを有する。必要に応じて、スピーカー振動板１は、第１振動板部分５と一体成形されたエッジ部分１１を含む（エッジ部分１１は一体成形されていなくてもよい）。第１振動板部分５は、コーン型振動板を形成しており、スピーカー振動板１の外周部分を形成する。第２振動板部分６は、ドーム型振動板を形成しており（ダストキャプとしての機能を有していてもよい）、スピーカー振動板１の内周部分を形成する。第１振動板部分５と第２振動板部分６とが一体成形されることにより、第１振動板部分５と第２振動板部分６との結合部において、ボイスコイルボビン２の振動をよりスムーズに（反射することなく）伝達できるので、伝達ロスを防止できる。スピーカー振動板１は、ボイスコイルボビン２が接着剤によって取り付けられる取付部７をさらに有する。取付部７は、スピーカー振動板１（具体的には、第１振動板部分５と第２振動板部分６との結合部）の背面側に突出するように設けられている。背面側とは、スピーカー振動板１のボイスコイルボビン２が接着される側である。また、結合部とは、第１振動板部分５と第２振動板部分６とが結合している部分およびその近傍を意味する。言い換えると、結合部は、スピーカー振動板１の曲面が凹状から凸状に変化する位置及びその近傍である。スピーカー振動板１の表面側ではなく背面側に取付部７を突出させているので、取付部７を形成するために第１振動板部分５および第２振動板部分６に折り曲げ部を形成する必要がない。そのため、スピーカー振動板１の表面側には取付部７が露出しないので、スピーカー振動板１の美感がきわめて優れたものになる。
【００２５】
取付部７は、第１振動板部分５および第２振動板部分６に一体成形されている。一体成形されているので、製造行程が簡素化され、かつ、取付部７が第１振動板部分５および第２振動板部分６から剥離することを防止できる。取付部７は、第１振動板部分５から背面側に延設された第１延設部８と、第２振動板部分６から背面側に延設された第２延設部９とを含み、第１延設部８および第２延設部９との間にボビン接着溝１０が規定されている。第１延設部８および第２延設部９の厚みは、好ましくは、０．５〜２０ｍｍである。０．５ｍｍより小さければ接着強度が不十分であり、２０ｍｍ以上であれば第１振動板部分５と第２振動板部分６との結合部の重量が増加しすぎ、音圧が低下するからである。取付部７のボビン接着溝１０にボイスコイルボビン２の一端が挿入され、第１および第２延設部によって挟み込まれた状態でボイスコイルボビン２が接着される。ここで、ボイスコイルボビン２の一端は第１振動板部分５および第２振動板部分６に当接しているので、ボイスコイルボビン２のＺ方向の振動は、第１および第２延設部を介さずに直接、第１振動板部分５および第２振動板部分６に伝達される。ボイスコイルボビン２の振動は、図１のＺ１およびＺ２に示す通り、第１振動板部分５および第２振動板部分６において、反射されることなく伝達される。
【００２６】
本実施例において、スピーカー振動板１の第１振動板部分５および第２振動板部分６は、基材に熱硬化性樹脂が含浸されてなる。例えば、基材は、天然繊維織布層と天然繊維不織布層とを含む積層体であり、熱硬化性樹脂は、任意の適切な熱硬化性樹脂が採用され得るが、好ましくは、不飽和ポリエステルである。硬化速度が速く、硬化温度が低いので製造が容易であり、かつ、優れた内部損失を有する第１振動板部分５および第２振動板部分６が得られるからである。本実施例のスピーカー振動板１の平均の振動板厚ｔは、後述する第１振動板部分５のリブ部１２の突出部を除いて、約０．３２ｍｍである。
【００２７】
基材は、用途および目的に応じて、任意の適切な織布または不織布が採用され得る。織布または不織布単独であってもよく、複数の不織布を有する積層体、あるいは織布と不織布との積層体であってもよい。不織布としては、代表的には、パラ型アラミド繊維、メタ型アラミド繊維、レーヨン繊維、コットン繊維、超高強力ポリエチレン繊維、ポリアリレート系繊維などが挙げられる。織布としては、ポリ（トリメチレンテレフタレート）、ポリエチレンナフタレート（ＰＥＮ）繊維などが挙げられる。また、織布または不織布の繊維は、上記のように天然繊維でも、無機繊維でもよい。
【００２８】
スピーカー振動板１は、長軸Ｘおよび短軸Ｙを有する外形が１２×６ｃｍのトラック形のスピーカー振動板であり、スピーカー振動板１の第１振動板部分５は、その背面側に突出して設けられるリブ部１２を備える。後述するように、リブ部１２は、それらの突出部に基材を含んで熱硬化性樹脂が硬化されて成形されている。また、リブ部１２は、図示するように、第１振動板部分５の中央から外側へ放射状に形成される放射状リブ部１２ａ〜１２ｄであり、放射状リブ部１２ａの中心軸ａと長軸Ｘとが交わる角度αは、約２５度である。取付部７および放射状リブ部１２ａ〜１２ｄは、連結されて一体に成形されているので、短軸Ｙ方向に比べて広い面積を有する第１振動板部分５の長軸Ｘ方向における強度を向上させる。つまり、取付部７および放射状リブ部１２ａ〜１２ｄは、細長形状振動板の分割共振が発生しやすい部分の剛性を高める。リブ部１２の第１振動板部分５の背面側へ突出する部分である突出部の最大高ｈは約０．３１ｍｍであり、振動板厚ｔ以下である。また、本実施例の放射状リブ部１２ａ〜１２ｄは、外径に向かうにつれてその幅が大きくなるリブ形状であり、取付部に最も近いところでの最小幅ｗは約０．５８ｍｍで振動板厚ｔ以上であり、最大幅は約２．１５ｍｍである。
【００２９】
図４は、実施例のスピーカー振動板１の切断面を拡大して撮影した図である。図４（ａ）は、取付部７（第１延設部８および第２延設部９）のＯ−Ｘ切断拡大図であり、図４（ｂ）は、放射状リブ部１２ａのＢ−Ｂ’
切断拡大図である。図４（ａ）のように、第１振動板部分５と第２振動板部分６は、基材を含んで樹脂によって成形されており、取付部７は、樹脂によって成形されている。好ましくは、取付部７は、第１振動板部分５および第２振動板部分６に用いられる熱硬化性樹脂が硬化することによって成形されている。すなわち、取付部７は、好ましくは不飽和ポリエステルによって成形されている。硬化速度が速く、硬化温度が低いので製造が容易であり、かつ、優れた内部損失を有する取付部が得られるからである。詳細は後述するが、取付部７は、第１振動板部分５および第２振動板部分６の基材に熱硬化性樹脂が含浸されると同時に、金型の取付部７の形状部分に熱硬化性樹脂が滴下され、硬化されるので、製造がきわめて簡素化される。
【００３０】
さらに、取付部７は熱硬化性樹脂のみによって成形されているので、基材に熱硬化性樹脂が含浸されてなる第１振動板部分５および第２振動板部分６と比べて内部損失が高い。例えば、基材がＰＥＮ繊維であり、熱硬化性樹脂が不飽和ポリエステルである場合には、取付部７と、第１振動板部分５（および第２振動板部分６）との内部損失の比は３：１〜１．２：１となる（取付部７の内部損失は０．３〜０．６であり、第１振動板部分５および第２振動板部分６の内部損失は０．１〜０．５である）。従って、ボイスコイルボビン２の垂直方向の振動は、内部損失の高い取付部７によって減衰され、第１振動板部分５および第２振動板部分６には伝達されない。そのため、ボイスコイルボビン２の垂直方向の振動によって、歪みまたはノイズが発生することを防止でき、Ｓ／Ｎ比を改善できる。
【００３１】
一方、放射状リブ部１２ａ〜１２ｄは、図４（ｂ）のように、それらの突出部に基材を含んで熱硬化性樹脂が硬化されて成形されている。つまり、第１振動板部分５および第２振動板部分６が、振動板厚ｔの全体に渡って基材を含んで熱硬化性樹脂が硬化しているのと同様に、放射状リブ部１２ａ〜１２ｄは、基材がリブ部１２の突出した突出部の内部にも入り込んだ状態で熱硬化性樹脂が硬化している。放射状リブ部１２ａ〜１２ｄの端部では、基材が少なくなって熱硬化性樹脂の比率が高くなる場合があっても、図４（ｂ）のように突出部の最大高ｈの半分以上に基材を含んでいるのが好ましい。リブ部１２の第２振動板部分６の背面側へ突出する部分である突出部の高さは、振動板厚ｔよりも小さく、最大高ｈは約０．３１ｍｍであるので、基材が突出部に深く入り込むことができる。また、本実施例の放射状リブ部１２ａ〜１２ｄは、その最小幅ｗは取付部７に最も近いところで約０．５８ｍｍであり、振動板厚ｔ以上である。したがって、第１振動板部分５の放射状リブ部１２ａ〜１２ｄは、単なる樹脂のみで形成したリブ部を第１振動板部分５に形成する場合に比べて、後述するように音響インピーダンスの整合がとれるという利点を有する。
【００３２】
次にスピーカー振動板１の製造方法について、図５を参照して説明する。基材５０１ａは、供給装置５０１にロール状に巻かれて準備され、工程の流れに応じて供給装置５０１から送り出される。成形時の変形を防止するために、送り出された基材５０１ａの送り方向に対する両側部がクランプ５０２により移動可能に支持される。
【００３３】
次いで、熱硬化性樹脂が、樹脂供給ノズル５０３ａから基材５０１ａの第１振動板部分５および第２振動板部分６に選択的に供給される。
【００３４】
次いで、熱硬化性樹脂が供給された基材５０１ａを、振動板１の形状の上側金型５０４ａおよび下側金型５０４ｂを用いて熱プレスする。上側金型５０４ａはスピーカー振動板１の表面（第１振動板部分５および第２振動板部分６）の形状を有しており、下側金型５０４ｂは振動板１の背面（第１振動板部分５、第２振動板部分６、取付部７、放射状リブ部１２ａ〜１２ｄ）の形状を有している。その結果、熱硬化性樹脂が圧延により基材５０１ａの第１振動板部分および第２振動板部分に含浸されおよび硬化して、第１振動板部分５および第２振動板部分６が形成され、同時に、下側金型５０４ｂの取付部７の形状部分に供給された熱硬化性樹脂が硬化され、取付部７が形成される。下側金型５０４ｂのみが取付部７および放射状リブ部１２ａ〜１２ｄの形状を有しているので、スピーカー振動板１の背面側に取付部７と、放射状リブ部１２ａ〜１２ｄが成形される。最後に、型抜きと外周切断が行われ、振動板１が得られる。
【００３５】
なお、熱プレスの条件（例えば、金型温度、プレス圧力、プレス時間、金型クリアランス）は、目的や用いる不織布基材に応じて、任意の適切な条件が採用され得る。代表的には、金型温度は１００〜１３０℃、加熱時間は０．５〜３分間、プレス時の圧力は１５〜２５ｋｇ／ｃｍ２、金型クリアランス（得られるスピーカー用部材の厚みに対応する）は０．１〜０．５ｍｍである。
【００３６】
以下、実施例により本発明を具体的に説明するが、本発明はこれら実施例には限定されない。なお、特に示さない限り、実施例中の部およびパーセントは重量基準である。
【００３７】
下記の組成を有する不飽和ポリエステル溶液を調製した：
不飽和ポリエステル樹脂（日本触媒(株)製；N350L）    ：１００（部）
低収縮化剤（日本油脂(株)；モディパーS501）          ：５
パーオクタＯ（日本油脂(株)）                       ：１．３
一方、表側に綿繊維の織布（綿番手２０  密度４０×４０（本／ｉｎｃｈ）  目付け１１０ｇ／ｍ＾２）を２層と、その間に綿不織布（未晒し繊維１００％をスパンレース（水流絡合）法により結合させたもの、目付け:１１０ｇ／ｍ＾２）と、を積層して３層構造にして１８ｃｍ角に切断したものを基材とする。約３０ｃｍ角のステンレス板の中央に直径約１４ｃｍの円形の穴を開けた冶具をクランプとし、このクランプ２枚の間に積層した基材を挟んだ後、調合した上記の不飽和ポリエステル溶液（約５g）をクランプした基材の中央付近に滴下する。図６の振動板形状のマッチドダイ金型で１３０℃で３０秒間成形することにより口径１２ｘ６ｃｍ、厚さ０．３２ｍｍの振動板を得た。下側金型のみに掘り込みが設けてあるため、取付部７は、スピーカー振動板１の背面側のみに不飽和ポリエステル樹脂が硬化して形成される。また、放射状リブ部１２ａ〜１２ｄは、第１振動板部分５の背面側に形成されるが、下側金型のみに形成される突出部の最大高ｈを規定する掘り込みは深くないので、基材がリブ部１２の突出した突出部の内部にも入り込んだ状態で熱硬化性樹脂が硬化する。
【００３８】
得られた振動板について、第１振動板部分５（リブ部１２を含まない）と、リブ部１２と、取付部７と、の比重、ヤング率および内部損失を測定した。測定結果を下記の表１に示す。
【表１】
2008113275.tif 000003
【００３９】
表１に示す通り、第１振動板部分５、リブ部１２および取付部７の比重は、それほど大きく変化しない。一方、第１振動板部分５（および第２振動板部分６）のヤング率は、取付部７のヤング率の約３．９倍であり、取付部７の内部損失は、第１振動板部分５（および第２振動板部分６）の内部損失の約７．７８倍である。そのため、ボイスコイルボビンの垂直方向の振動は内部損失の高い取付部７によって減衰され、第１振動板部分５（および第２振動板部分６）には伝達されにくい。従って、歪みの発生を防止できる。また、第１振動板部分５のリブ部１２の比重、ヤング率および内部損失は、第１振動板部分５と取付部７との中間の値であり、内部損失の値は比較的に第１振動板部分５の値に近い。つまり、取付部７のように樹脂のみで形成するリブ部を設ける場合に比べると、基材が突出部の内部にも入り込んだリブ部１２は、ヤング率の値が第１振動板部分５の値に近くなり、また、内部損失の値も極端に違わないようになるので、リブ部１２における音響インピーダンスの整合がとれて、振動の反射が少なく、音圧周波数特性上のピーク・ディップをより少なくすることができる。以上、本発明の好ましい実施形態について説明したが、本発明はこれらの実施形態には限定されない。
【００４０】
なお、第１振動板部分５に設けられるリブ部１２は、上記のような放射状に形成される放射状リブ部１２ａ〜１２ｄには限定されない。放射状リブ部１２ａ〜１２ｄのリブの幅は一定幅でもよく、また、リブの本数も４本よりも多くてもよい。振動板形状が細長形状振動板の場合（長軸および短軸を有する外形が、略楕円形、トラック形もしくは長方形のスピーカー振動板の場合）に、第１振動板部分５に設けられるリブ部１２であり、取付部およびリブ部が連結されて一体に成形されていれば、例えば、放射状リブ部１２ａ〜１２ｄのそれぞれに平行に形成された複数の放射状リブをさらに有するような、他のリブ形状であってもよい。また、リブ部１２は、長軸および短軸に平行であってもよい。基材が突出部の内部にも入り込んだリブ部１２を形成することで、取付部７のように樹脂のみで形成するリブ部を設ける場合に比べると、リブ部１２における音響インピーダンスの整合がとれて、振動の反射が少なく、音圧周波数特性上のピーク・ディップをより少なくすることができる。
【産業上の利用可能性】
【００４１】
本発明のスピーカー振動板は、様々な用途（家庭用、車載用）に用いられるスピーカーに好適に適用され得る。さらに、特に低周波数領域を再生するウーファー、または高周波数領域を再生するツィータ等、特性に問わず任意のスピーカーに適用され得る。また、本発明のスピーカー振動板は、スピーカーのみならず、細長形状の振動板を備えるマイクロホンにも適用が可能である。
【図面の簡単な説明】
【００４２】
【図１】本発明の好ましい実施形態によるスピーカー１００について説明する図である。（実施例１）
【図２】本発明の好ましい実施形態によるスピーカー振動板１について説明する図である。（実施例１）
【図３】本発明の好ましい実施形態によるスピーカー振動板１について説明する図である。（実施例１）
【図４】本発明の好ましい実施形態によるスピーカー振動板１について説明する図である。（実施例１）
【図５】本発明の好ましい実施形態によるスピーカー振動板１の製造方法を示す図である。
【符号の説明】
【００４３】
１            スピーカー振動板
２            ボイスコイルボビン
３            ボイスコイル
４            磁気回路
５            第１振動板部分
６            第２振動板部分
７            取付部
８            第１延設部
９            第２延設部
１０            ボビン接着溝
１１            エッジ部分
１２            リブ部
【図１】
2008113275.tif 000004
【図２】
2008113275.tif 000005
【図３】
2008113275.tif 000006
【図５】
2008113275.tif 000007
【図４】
2008113275.tif 000008